(57)【要約】【課題】風化珊瑚利用を利用して、マイナスイオンを冷蔵・冷凍内の物に投与するマイナスイオン発生電気冷蔵・冷凍と電気冷蔵・冷凍庫用マイナスイオン発生珊瑚体の要望【解決手段】外的エネルギーの中でマイナスイオン発生電気冷蔵・冷凍１０が持つ振動エネルギーをそのまま使用するもので、この振動エネルギーを珊瑚加工物２０である珊瑚含有耐水性固化物または珊瑚塊加工物に投与するものである。この珊瑚含有耐水性固化物は、風化珊瑚粉・粒状物２１である風化珊瑚粉状物または風化珊瑚の粉・粒状物２１を耐水性固化物原料２２に取り込み固化したものである。この珊瑚加工物２０が、珊瑚塊加工物、すなわち、風化珊瑚が山珊瑚と言われる岩石のごとき塊塊をタイル状に切断したものであってもよい。【選択図】  図１
2004340498.tif 000002
【特許請求の範囲】
【請求項１】
電気冷蔵・冷凍本体、該電気冷蔵・冷凍の庫内に設けられたものであって風化珊瑚粉・粒状物が混入され且つ耐水性の塗料や合成樹脂の固化前の液状物とかセメントその他焼成物原料のごとき耐水性固化物原料を取り込み固化された珊瑚含有耐水性固化物、より構成されることを特徴とした風化珊瑚利用のマイナスイオン発生電気冷蔵・冷凍。
【請求項２】
電気冷蔵・冷凍本体、該電気冷蔵・冷凍の庫内に設けられたものであって風化珊瑚の岩石のごとき珊瑚が石灰岩化する直前の岩石のごとき塊（山珊瑚と言う）を加工形成された珊瑚塊加工物、より構成されることを特徴とした風化珊瑚利用のマイナスイオン発生電気冷蔵・冷凍。
【請求項３】
電気冷蔵・冷凍本体の加熱調理部分に用いられるものであって風化珊瑚粉粒が耐水性固化物原料に混入され形成された珊瑚含有耐水性固化物または風化珊瑚の岩石のごとき珊瑚が石灰岩化直前の岩石のごとき塊から加工形成された珊瑚塊加工物、より構成されることを特徴とした電気冷蔵・冷凍庫用マイナスイオン発生珊瑚体。
【発明の詳細な説明】
【０００１】
【発明の属する技術分野】
本発明は、広くは電気冷蔵・冷凍に関するものであり、特に風化珊瑚を利用したマイナスイオン発生電気冷蔵・冷凍と電気冷蔵・冷凍庫用マイナスイオン発生珊瑚体に関するものである。就中、風化珊瑚から生じるマイナスイオンを電気冷蔵・冷凍内に発生するものであって、その電気冷蔵・冷凍の器機の駆動振動と水分を利用し、風化珊瑚へのその振動刺激によって、そのマイナスイオンをさらに一層大量に放出せしめ、よってそのマイナスイオンでその貯蔵品の品質保持の向上を図るマイナスイオン発生電気冷蔵・冷凍と電気冷蔵・冷凍庫用マイナスイオン発生珊瑚体に関するものである。
【０００２】
【従来の技術】
従来、電気冷蔵・冷凍は、その貯蔵物の腐敗防止を低温にするのみでその目的と効果を果たすことが考慮されているのみであった。
【０００３】
【発明が解決しようとする課題】
もちろん、貯蔵物品への冷却具合は大変に大事なことではあるが、電気冷蔵・冷凍が持つ折角の振動エネルギーと水分を、珊瑚を使用してのマイナスイオン発生の利用を考慮すると、従来では果たすことが不可能であった新たな貯蔵物技術がそこから生まれ、特に生鮮食品への利用が可能になる。
【０００４】
珊瑚は、そのままの状態でも常時少量のマイナスイオンを発生し続けている。そして、これに振動や圧力等の外的エネルギーを与えることにより、より大量のマイナスイオンを発生させることができる。これを応用した発明である珊瑚を利用した電気冷蔵・冷凍と電気冷蔵・冷凍庫用マイナスイオン発生珊瑚体が望まれる。すなわち、この珊瑚から発生した大量のマイナスイオンの働きにより貯蔵されている食品等の鮮度が見違えるほど達成されることを目的とした電気冷蔵・冷凍と電気冷蔵・冷凍庫用マイナスイオン発生珊瑚体の開発が必要とされている。
【０００５】
【課題を解決するための手段】
本発明にかかる風化珊瑚利用のマイナスイオン発生電気冷蔵・冷凍と電気冷蔵・冷凍庫用マイナスイオン発生珊瑚体は、以上の問題点を解決するために、マイナスイオン発生電気冷蔵・冷凍を珊瑚を用いたマイナスイオンを発生する調理器機としたものである。すなわち、珊瑚からのマイナスイオンの発生量増大に関する種々の外的エネルギーの利用の中で、本願発明においては電気冷蔵・冷凍それ自体が有する振動エネルギーと水分をそのまま利用することに着眼して、マイナスイオン発生の増大のための特別な外的エネルギーの投与手段を必要としない発明としたものである。
【０００６】
しかして、風化珊瑚は、その存在状態によって大きく２つに区別できる。その１は、砂のような粒状物であり、その極端に細かいものが粉状物である。もう一方は、岩石のごとき珊瑚が石灰岩化する直前の岩石のごとき塊状のものである。前者は塗料等に混入して塗布状のものにして他の物の表面に塗り付けたりあるいは合成樹脂やセメントなどでタイル状にする等、噴流物そのままでは使用しにくい状態を他のものに混入して使用しやすい用にして用いるものである。そして、後者は、それをスライスしてタイル状にしたりして用いるものである。
【０００７】
以下に、本発明にかかる風化珊瑚利用のマイナスイオン発生電気冷蔵・冷凍と電気冷蔵・冷凍庫用マイナスイオン発生珊瑚体の具体的な構成を詳細に記載する。最初に、本発明の請求項１に記載した発明の風化珊瑚利用のマイナスイオン発生電気冷蔵・冷凍の構成を説明する。この発明は、まず、電気冷蔵・冷凍本体がある。そして、珊瑚含有耐水性固化物がある。この珊瑚含有耐水性固化物は、上記の電気冷蔵・冷凍の庫内に設けられたものであって、風化珊瑚の粉や粒が混入され且つ耐水性の塗料や合成樹脂の固化前の液状物とかセメントその他焼成物原料のごとき耐水性固化物原料を取り込み固化されたものである。
【０００８】
つぎに、本発明にかかる風化珊瑚利用のマイナスイオン発生電気冷蔵・冷凍と電気冷蔵・冷凍庫用マイナスイオン発生珊瑚体の請求項２に記載した発明の風化珊瑚利用のマイナスイオン発生電気冷蔵・冷凍の構成を説明する。この発明は、まず、電気冷蔵・冷凍本体がある。そして、風化珊瑚の珊瑚が石灰岩化する直前の岩石のごとき塊（山珊瑚と言う）を加工した珊瑚塊加工物がある。この珊瑚塊加工物を電気冷蔵・冷凍の庫内に設けたものである。
【０００９】
最後に、本発明にかかる風化珊瑚利用のマイナスイオン発生電気冷蔵・冷凍と電気冷蔵・冷凍庫用マイナスイオン発生珊瑚体の請求項３に記載した発明の電気冷蔵・冷凍庫用マイナスイオン発生珊瑚体の構成を説明する。この発明は、まず、電気冷蔵・冷凍本体の庫内に用いられるものであって、風化珊瑚粉・粒状物が耐水性固化物原料に混入され形成固化されまたは風化珊瑚の岩石のごとき珊瑚が石灰岩化直前の岩石のごとき珊瑚塊加工物がタイルに形成されたものから成る。
【００１０】
【発明の実施の形態】
以下に、本発明にかかる風化珊瑚利用のマイナスイオン発生電気冷蔵・冷凍と電気冷蔵・冷凍庫用マイナスイオン発生珊瑚体の一般的な実施の形態を述べる。これは、マイナスイオン発生電気冷蔵・冷凍が持つ振動エネルギーとその電気冷蔵・冷凍内に発生する水分をそのまま使用するもので、この振動エネルギーを珊瑚含有耐水性固化物または珊瑚が石灰岩化する直前の岩石のごとき塊である珊瑚塊加工物に投与するものである。そして、これにより発生するマイナスイオンをその電気冷蔵・冷凍内の冷蔵物に作用させ、その鮮度をさらに保持させるものである。
【００１１】
【実施例】
しかして、本発明にかかる風化珊瑚利用のマイナスイオン発生電気冷蔵・冷凍と電気冷蔵・冷凍庫用マイナスイオン発生珊瑚体をその具体的な実施例を用いて添付の図面と共に詳細に述べる。まず、本願発明は、外的エネルギーの中でマイナスイオン発生電気冷蔵・冷凍１０が持つ電動モーターやエアーコンプレッサーからの振動エネルギーと電気冷蔵・冷凍内に発生する水分をそのまま使用するものである。そして、この振動エネルギーと水分を、珊瑚加工物２０である珊瑚含有耐水性固化物または珊瑚が石灰岩化する直前の岩石のごとき塊（山珊瑚と言う）珊瑚塊加工物に投与するものである。
【００１２】
以下に、その具体的な実施例を述べる。まず、マイナスイオン発生電気冷蔵・冷凍本体１０がある。そして、珊瑚加工物２０の一つである珊瑚含有耐水性固化物がある。この珊瑚含有耐水性固化物は、風化珊瑚粉・粒状物２１である風化珊瑚粉状物または風化珊瑚の粒状物を混入する耐水性の塗料や合成樹脂の固化前の液状物とかセメントその他、セラミックや陶器などの焼成物原料のごとき耐水性固化物原料２２を取り込み固化されたものである。図２は、陶器状などのタイル２０ａにした場合の一実施例である。そして、図３は、これを繊維とかシート２０ｂなどの薄くフレキシブルな物に応用した一実施例である。しかして、これをこれを繊維等の吸湿性で通気性のものにすると、そのマイナスイオンの発生が活発になってよい。こうして、この珊瑚加工物２０は、上記の電気冷蔵・冷凍２０の庫内の内壁１１や底面部分１２に設けられている。これにより発生するマイナスイオンをその電気冷蔵・冷凍１０内の冷蔵物３０に作用させ、その鮮度をさらに保持させるものである。
【００１３】
つぎに、珊瑚加工物２０が、珊瑚塊加工物の場合の実施例を述べる。すなわち、風化珊瑚が山珊瑚と言われる岩石のごとき塊の場合、その塊をタイル状に切断して電気冷蔵・冷凍１０の庫内に設けるものである。
【００１４】
【発明の効果】
本発明にかかる風化珊瑚利用のマイナスイオン発生電気冷蔵・冷凍と電気冷蔵・冷凍庫用マイナスイオン発生珊瑚体は、以上のごとくになしたゆえに、上記の課題を解決して冷蔵物の鮮度今までにないものに向上させた。さらに、このマイナスイオンにより、冷蔵品の脱臭効果と酸化防止にも効果を発揮した。
【図面の簡単な説明】
【図１】本発明にかかる風化珊瑚利用のマイナスイオン発生電気冷蔵・冷凍の斜視図である。
【図２】本発明にかかる珊瑚加工物の一実施例のタイルタイプのものの斜視図を示したものである。
【図３】本発明にかかる珊瑚加工物の一実施例のシートタイプのものの一部省略斜視図を示したものである。
【符号の説明】
１０  マイナスイオン発生電気冷蔵・冷凍
２０  珊瑚加工物
２１  風化珊瑚粉・粒状物
２２  珊瑚加工物原料
【図１】
2004340498.tif 000003
【図２】
2004340498.tif 000004
【図３】
2004340498.tif 000005
【手続補正書】
【提出日】平成15年5月19日(2003.5.19)
【手続補正１】
【補正対象書類名】明細書
【補正対象項目名】全  文
【補正方法】変更
【補正の内容】
【特許請求の範囲】
【請求項１】電気冷蔵・冷凍庫本体、該電気冷蔵・冷凍庫の庫内に設けられたものであって風化珊瑚粉・粒状物が混入され且つ耐水性の塗料や合成樹脂の固化前の液状物とかセメントその他焼成物原料のごとき耐水性固化物原料を取り込み固化された珊瑚含有耐水性固化物、より構成されることを特徴とした風化珊瑚利用のマイナスイオン発生電気冷蔵・冷凍庫。
【請求項２】電気冷蔵・冷凍庫本体、該電気冷蔵・冷凍庫の庫内に設けられたものであって風化珊瑚の岩石のごとき珊瑚が石灰岩化する直前の岩石のごとき塊（山珊瑚と言う）を加工形成された珊瑚塊加工物、より構成されることを特徴とした風化珊瑚利用のマイナスイオン発生電気冷蔵・冷凍庫。
【請求項３】電気冷蔵・冷凍庫本体の加熱調理部分に用いられるものであって風化珊瑚粉粒が耐水性固化物原料に混入され形成された珊瑚含有耐水性固化物または風化珊瑚の岩石のごとき珊瑚が石灰岩化直前の岩石のごとき塊から加工形成された珊瑚塊加工物、より構成されることを特徴とした電気冷蔵・冷凍庫用マイナスイオン発生珊瑚体。
【発明の詳細な説明】
【０００１】
【発明の属する技術分野】
本発明は、広くは電気冷蔵・冷凍庫に関するものであり、特に風化珊瑚を利用したマイナスイオン発生電気冷蔵・冷凍庫と電気冷蔵・冷凍庫用マイナスイオン発生珊瑚体に関するものである。就中、風化珊瑚から生じるマイナスイオンを電気冷蔵・冷凍庫内に発生するものであって、その電気冷蔵・冷凍庫の器機の駆動振動と水分を利用し、風化珊瑚へのその振動刺激によって、そのマイナスイオンをさらに一層大量に放出せしめ、よってそのマイナスイオンでその貯蔵品の品質保持の向上を図るマイナスイオン発生電気冷蔵・冷凍庫と電気冷蔵・冷凍庫用マイナスイオン発生珊瑚体に関するものである。
【０００２】
【従来の技術】
従来、電気冷蔵・冷凍庫は、その貯蔵物の腐敗防止を低温にするのみでその目的と効果を果たすことが考慮されているのみであった。
【０００３】
【発明が解決しようとする課題】
もちろん、貯蔵物品への冷却具合は大変に大事なことではあるが、電気冷蔵・冷凍庫が持つ折角の振動エネルギーと水分を、珊瑚を使用してのマイナスイオン発生の利用を考慮すると、従来では果たすことが不可能であった新たな貯蔵物技術がそこから生まれ、特に生鮮食品への利用が可能になる。
【０００４】
珊瑚は、そのままの状態でも常時少量のマイナスイオンを発生し続けている。そして、これに振動や圧力等の外的エネルギーを与えることにより、より大量のマイナスイオンを発生させることができる。これを応用した発明である珊瑚を利用した電気冷蔵・冷凍庫と電気冷蔵・冷凍庫用マイナスイオン発生珊瑚体が望まれる。すなわち、この珊瑚から発生した大量のマイナスイオンの働きにより貯蔵されている食品等の鮮度が見違えるほど達成されることを目的とした電気冷蔵・冷凍庫と電気冷蔵・冷凍庫用マイナスイオン発生珊瑚体の開発が必要とされている。
【０００５】
【課題を解決するための手段】
本発明にかかる風化珊瑚利用のマイナスイオン発生電気冷蔵・冷凍庫と電気冷蔵・冷凍庫用マイナスイオン発生珊瑚体は、以上の問題点を解決するために、マイナスイオン発生電気冷蔵・冷凍庫を珊瑚を用いたマイナスイオンを発生する調理器機としたものである。すなわち、珊瑚からのマイナスイオンの発生量増大に関する種々の外的エネルギーの利用の中で、本願発明においては電気冷蔵・冷凍庫それ自体が有する振動エネルギーと水分をそのまま利用することに着眼して、マイナスイオン発生の増大のための特別な外的エネルギーの投与手段を必要としない発明としたものである。
【０００６】
しかして、風化珊瑚は、その存在状態によって大きく２つに区別できる。その１は、砂のような粒状物であり、その極端に細かいものが粉状物である。もう一方は、岩石のごとき珊瑚が石灰岩化する直前の岩石のごとき塊状のものである。前者は塗料等に混入して塗布状のものにして他の物の表面に塗り付けたりあるいは合成樹脂やセメントなどでタイル状にする等、噴流物そのままでは使用しにくい状態を他のものに混入して使用しやすい用にして用いるものである。そして、後者は、それをスライスしてタイル状にしたりして用いるものである。
【０００７】
以下に、本発明にかかる風化珊瑚利用のマイナスイオン発生電気冷蔵・冷凍庫と電気冷蔵・冷凍庫用マイナスイオン発生珊瑚体の具体的な構成を詳細に記載する。最初に、本発明の請求項１に記載した発明の風化珊瑚利用のマイナスイオン発生電気冷蔵・冷凍庫の構成を説明する。この発明は、まず、電気冷蔵・冷凍庫本体がある。そして、珊瑚含有耐水性固化物がある。この珊瑚含有耐水性固化物は、上記の電気冷蔵・冷凍庫の庫内に設けられたものであって、風化珊瑚の粉や粒が混入され且つ耐水性の塗料や合成樹脂の固化前の液状物とかセメントその他焼成物原料のごとき耐水性固化物原料を取り込み固化されたものである。
【０００８】
つぎに、本発明にかかる風化珊瑚利用のマイナスイオン発生電気冷蔵・冷凍庫と電気冷蔵・冷凍庫用マイナスイオン発生珊瑚体の請求項２に記載した発明の風化珊瑚利用のマイナスイオン発生電気冷蔵・冷凍庫の構成を説明する。この発明は、まず、電気冷蔵・冷凍庫本体がある。そして、風化珊瑚の珊瑚が石灰岩化する直前の岩石のごとき塊（山珊瑚と言う）を加工した珊瑚塊加工物がある。この珊瑚塊加工物を電気冷蔵・冷凍庫の庫内に設けたものである。
【０００９】
最後に、本発明にかかる風化珊瑚利用のマイナスイオン発生電気冷蔵・冷凍庫と電気冷蔵・冷凍庫用マイナスイオン発生珊瑚体の請求項３に記載した発明の電気冷蔵・冷凍庫用マイナスイオン発生珊瑚体の構成を説明する。この発明は、まず、電気冷蔵・冷凍庫本体の庫内に用いられるものであって、風化珊瑚粉・粒状物が耐水性固化物原料に混入され形成固化されまたは風化珊瑚の岩石のごとき珊瑚が石灰岩化直前の岩石のごとき珊瑚塊加工物がタイルに形成されたものから成る。
【００１０】
【発明の実施の形態】
以下に、本発明にかかる風化珊瑚利用のマイナスイオン発生電気冷蔵・冷凍庫と電気冷蔵・冷凍庫用マイナスイオン発生珊瑚体の一般的な実施の形態を述べる。これは、マイナスイオン発生電気冷蔵・冷凍庫が持つ振動エネルギーとその電気冷蔵・冷凍庫内に発生する水分をそのまま使用するもので、この振動エネルギーを珊瑚含有耐水性固化物または珊瑚が石灰岩化する直前の岩石のごとき塊である珊瑚塊加工物に投与するものである。そして、これにより発生するマイナスイオンをその電気冷蔵・冷凍庫内の冷蔵物に作用させ、その鮮度をさらに保持させるものである。
【００１１】
【実施例】
しかして、本発明にかかる風化珊瑚利用のマイナスイオン発生電気冷蔵・冷凍庫と電気冷蔵・冷凍庫用マイナスイオン発生珊瑚体をその具体的な実施例を用いて添付の図面と共に詳細に述べる。まず、本願発明は、外的エネルギーの中でマイナスイオン発生電気冷蔵・冷凍庫１０が持つ電動モーターやエアーコンプレッサーからの振動エネルギーと電気冷蔵・冷凍庫内に発生する水分をそのまま使用するものである。そして、この振動エネルギーと水分を、珊瑚加工物２０である珊瑚含有耐水性固化物または珊瑚が石灰岩化する直前の岩石のごとき塊（山珊瑚と言う）珊瑚塊加工物に投与するものである。
【００１２】
以下に、その具体的な実施例を述べる。まず、マイナスイオン発生電気冷蔵・冷凍庫本体１０がある。そして、珊瑚加工物２０の一つである珊瑚含有耐水性固化物がある。この珊瑚含有耐水性固化物は、風化珊瑚粉・粒状物２１である風化珊瑚粉状物または風化珊瑚の粒状物を混入する耐水性の塗料や合成樹脂の固化前の液状物とかセメントその他、セラミックや陶器などの焼成物原料のごとき耐水性固化物原料２２を取り込み固化されたものである。図２は、陶器状などのタイル２０ａにした場合の一実施例である。そして、図３は、これを繊維とかシート２０ｂなどの薄くフレキシブルな物に応用した一実施例である。しかして、これをこれを繊維等の吸湿性で通気性のものにすると、そのマイナスイオンの発生が活発になってよい。こうして、この珊瑚加工物２０は、上記の電気冷蔵・冷凍庫２０の庫内の内壁１１や底面部分１２に設けられている。これにより発生するマイナスイオンをその電気冷蔵・冷凍庫１０内の冷蔵物３０に作用させ、その鮮度をさらに保持させるものである。
【００１３】
つぎに、珊瑚加工物２０が、珊瑚塊加工物の場合の実施例を述べる。すなわち、風化珊瑚が山珊瑚と言われる岩石のごとき塊の場合、その塊をタイル状に切断して電気冷蔵・冷凍庫１０の庫内に設けるものである。
【００１４】
【発明の効果】
本発明にかかる風化珊瑚利用のマイナスイオン発生電気冷蔵・冷凍庫と電気冷蔵・冷凍庫用マイナスイオン発生珊瑚体は、以上のごとくになしたゆえに、上記の課題を解決して冷蔵物の鮮度今までにないものに向上させた。さらに、このマイナスイオンにより、冷蔵品の脱臭効果と酸化防止にも効果を発揮した。
【図面の簡単な説明】
【図１】本発明にかかる風化珊瑚利用のマイナスイオン発生電気冷蔵・冷凍庫の斜視図である。
【図２】本発明にかかる珊瑚加工物の一実施例のタイルタイプのものの斜視図を示したものである。
【図３】本発明にかかる珊瑚加工物の一実施例のシートタイプのものの一部省略斜視図を示したものである。
【符号の説明】
１０  マイナスイオン発生電気冷蔵・冷凍庫
２０  珊瑚加工物
２１  風化珊瑚粉・粒状物
２２  珊瑚加工物原料